(57)【要約】  本発明は、イヤリングタイプのマイクに関し、耳にかけて使用されるマイクにおいて、ユーザーの両耳に固定される固定部材と、両端が前記２個の固定部材にそれぞれ位置する弾性を有する部材で製作され、一側がユーザーの首に密着するケーブルと、前記ケーブルの両端にそれぞれ結合されるスピーカーと、前記ケーブルの一側に設置されるものであって、音声を入力するマイク部とを含んで構成され、ユーザーが前記マイク部を介して音声を入力するとき、前記マイク部に力を加えると、前記ケーブルが伸びながら前記マイク部がユーザーの首から口の周囲に移動し、前記マイク部に加えられた力が除去されると、前記ケーブルの弾性力によって前記マイク部がユーザーの口の周囲に密着することを特徴とする。本発明は、一般的な活動時、ユーザーの身体の一部に固定されることによってユーザーの活動性を高めることができる。すなわち、本発明は、固定部材の両端を耳に挟む構造となっており、マイクを着用して各種行為をしても、従来に比べてマイクが耳から離脱する憂いがないだけでなく、単純に固定部材を広げてから離す行為だけでも耳に固定させることができ、マイクの着用及び分離が容易になるという長所を有する。
2018538767.tif 000002
【特許請求の範囲】
【請求項１】
耳にかけて使用されるマイクにおいて、
ユーザーの両耳にそれぞれ固定される２個の固定部材（１００）；
弾性を有する部材であって、前記２個の固定部材（１００）を互いにつないでユーザーの首に一部分が密着するケーブル（２００）；
前記ケーブル（２００）の両端にそれぞれ結合されるスピーカー（３００）；及び、
前記ケーブル（２００）の一側に設置されるものであって、音声を入力するマイク部（４００）；を含んで構成され、
ユーザーが前記マイク部（４００）を介して音声を入力するとき、前記マイク部（４００）に力を加えると、前記ケーブル（２００）が伸びながら前記マイク部（４００）がユーザーの首から口の周囲に移動し、前記マイク部（４００）に加えられた力が除去されると、前記ケーブル（２００）の弾性力によって前記マイク部（４００）がユーザーの口の周囲に密着することを特徴とするイヤリングタイプのマイク。
【請求項２】
前記ケーブル（２００）は、一側がジグザグ形状又はスプリング形状となるように内部に弾性部材が結合されており、前記マイク部（４００）に力が加えられると、前記スプリング形態が解けながら前記ケーブル（２００）が伸びる一方、前記マイク部（４００）に加えられた力が除去されると、弾性部材の弾性力によって前記ケーブル（２００）の一側が再びスプリング形状となることを特徴とする、請求項１に記載のイヤリングタイプのマイク。
【請求項３】
前記固定部材（１００）は、
ユーザーの耳介の後ろに密着する「Ｃ」字状の第１固定部材（１１０）；及び、
「Ｃ」字状を有し、一端が前記第１固定部材（１１０）の一側に結合される第２固定部材（１２０）；を含んで構成され、
前記第２固定部材（１２０）の一端がユーザーの耳の外側に当接し、他端がユーザーの耳の内側に当接することによって、全体的に前記第２固定部材（１２０）の両端をユーザーの耳に挟むようにし、前記固定部材（１００）がユーザーの耳に固定され、
前記ケーブル（２００）を前記第２固定部材（１２０）の長さ方向に沿って密着させ、前記ケーブル（２００）の両端のそれぞれを前記第２固定部材（１２０）の他端に固定させることを特徴とする、請求項１に記載のイヤリングタイプのマイク。
【請求項４】
前記マイク部（４００）は、
管状を有し、前記ケーブルの一側に設置されるマイク胴体（４２０）；及び、
一端が前記マイク胴体（４２０）の内部一側に結合され、他端が前記マイク胴体（４２０）の外部に突出するものであって、音声を入力する入力部（４３０）；を含んで構成され、
ユーザーが前記マイク部（４００）を首の後ろに着用した状態で前記入力部（４３０）を介して音声を入力するとき、前記入力部（４３０）に力を加えると前記入力部（４３０）が一定の長さだけ突出し、前記入力部（４３０）がユーザーの首の後ろから口の周囲に移動することを特徴とする、請求項１に記載のイヤリングタイプのマイク。
【請求項５】
音を出力する装置として、前記固定部材（１００）の一側に結合される本体（６００）をさらに含んで構成され、
前記本体（６００）は、前記ケーブル（２００）と連結され、前記マイク部（４００）から入力される音を出力したり、それ自体で再生される音又は外部から来る音信号を前記スピーカー（３００）に送ることを特徴とする、請求項１に記載のイヤリングタイプのマイク。
【請求項６】
耳にかけて使用されるマイクにおいて、
ユーザーの両耳にそれぞれ固定される２個の固定部材（１００）；
前記２個の固定部材（１００）を互いにつないでユーザーの前顎に一部分が密着するケーブル（２００）；
両端が前記ケーブルの一側に一定距離だけ離隔してそれぞれ結合され、前記ケーブルがユーザーの前顎に密着するとき、ユーザーの内側の顎に密着する第２弾性体（５１０）；
前記ケーブル（２００）の両端にそれぞれ結合されるスピーカー（３００）；及び、
前記ケーブル（２００）の一側に設置されるものであって、音声を入力するマイク部（４００）；を含んで構成され、
ユーザーの顎が前記ケーブル（２００）と前記第２弾性体（５１０）が形成する穴に挿入されており、ユーザーが顎を動かすとき、前記第２弾性体（５１０）の弾力によって前記ケーブル（２００）がユーザーの前顎に密着して動かないようにすることを特徴とするイヤリングタイプのマイク。
【請求項７】
前記固定部材（１００）は、
ユーザーの耳介の後ろに密着する「Ｃ」字状の第１固定部材（１１０）；及び、
「Ｃ」字状を有し、一端が前記第１固定部材（１１０）の一側に結合される第２固定部材（１２０）；を含んで構成され、
前記第２固定部材（１２０）の一端がユーザーの耳の外側に当接し、他端がユーザーの耳の内側に当接することによって、全体的に前記第２固定部材（１２０）の両端をユーザーの耳に挟むようにし、前記固定部材（１００）がユーザーの耳に固定され、
前記ケーブル（２００）を前記第２固定部材（１２０）の長さ方向に沿って密着させ、前記ケーブル（２００）の両端のそれぞれを前記第２固定部材（１２０）の他端に固定させることを特徴とする、請求項６に記載のイヤリングタイプのマイク。
【請求項８】
音を出力する装置として、前記固定部材（１００）の一側に結合される本体（６００）をさらに含んで構成され、
前記本体（６００）は、前記ケーブル（２００）と連結され、前記マイク部（４００）から入力される音を出力したり、それ自体で再生される音又は外部から来る音信号を前記スピーカー（３００）に送ることを特徴とする、請求項６に記載のイヤリングタイプのマイク。
【請求項９】
耳にかけて使用されるマイクにおいて、
ユーザーの一側の耳に固定される固定部材（１００）；
前記固定部材（１００）に固定されるケーブル（２００）；
前記ケーブル（２００）の一端に結合されるスピーカー（３００）；及び、
前記ケーブル（２００）に一端が連結されるように前記固定部材（１００）に結合され、ユーザーの音声を入力するマイク部（４００）；を含んで構成され、
前記固定部材（１００）は、ユーザーの耳介の後ろに密着する「Ｃ」字状の第１固定部材（１１０）；及び、
「Ｃ」字状を有し、一端が前記第１固定部材（１１０）の一側に結合される第２固定部材（１２０）；を含んで構成され、
前記第２固定部材（１２０）の一端がユーザーの耳の外側に当接し、他端がユーザーの耳の内側に当接することによって、全体的に前記第２固定部材（１２０）の両端をユーザーの耳に挟むようにし、前記固定部材（１００）をユーザーの耳に固定させることを特徴とするイヤリングタイプのマイク。
【請求項１０】
前記マイク部（４００）は、
前記マイク部（４００）を覆うように一端が前記固定部材（１００）に結合され、他端が前記マイク部（４００）の他端に結合される第３弾性体（５２０）をさらに含んで構成され、
ユーザーが前記マイク部（４００）を介して音声を入力するとき、前記マイク部（４００）に力を加えながら前記マイク部４００を口の周囲に移動させ、前記マイク部（４００）に加えられた力が除去されると、前記第３弾性体（５２０）の弾性によって前記マイク部（４００）が元の状態に復元されることを特徴とする、請求項９に記載のイヤリングタイプのマイク。
【請求項１１】
前記第１固定部材（１１０）の長さ方向に沿って穴が長く穿孔されている長孔（１１２）；及び、
一端が前記第１固定部材（１１０）の前記長孔（１１２）に沿って動くように結合されるものであって、音声を入力するマイク部（４００）；を含んで構成され、
ユーザーが前記マイク部（４００）を介して音声を入力するとき、前記マイク部（４００）に力を加えながら前記マイク部（４００）を口の周囲に移動させることを特徴とする、請求項９に記載のイヤリングタイプのマイク。
【請求項１２】
一端が前記第１固定部材（１１０）の一側に回転するように結合される連結部材（４４０）；及び、
一端が前記連結部材（４４０）に結合されるものであって、音声を入力するマイク部（４００）；を含んで構成され、
ユーザーが前記マイク部（４００）を介して音声を入力するとき、前記マイク部（４００）に力を加えながら前記マイク部（４００）を口の周囲に移動させることを特徴とする、請求項９に記載のイヤリングタイプのマイク。
【請求項１３】
音を出力する装置として、前記固定部材（１００）の一側に結合される本体（６００）をさらに含んで構成され、
前記本体（６００）は、前記ケーブル（２００）と連結され、前記マイク部（４００）から入力される音を出力したり、それ自体で再生される音又は外部から来る音信号を前記スピーカー（３００）に送ることを特徴とする、請求項９に記載のイヤリングタイプのマイク。
【発明の詳細な説明】
【技術分野】
【０００１】
本発明は、耳介にかけて簡便に使用するイヤリングタイプのマイクに関する。
【背景技術】
【０００２】
近年は、スマートフォンや携帯用音響機器にイヤホンが多く使用されており、特に、通信用端末機であるスマートフォンは、音響機能を利用しながら通信機能を選択的に利用することができる。通信機能を利用する場合、一般に、イヤホンとマイクが一体型で構成されたマイク（ＥＡＲ−ＭＩＣ）が必要である。
【０００３】
一方、マイクは、スマートフォンや携帯用音響機器と連結された形態で利用されるが、連結部が長くなる場合、保管上の問題によって連結部が長く伸びたり、捩れたり、絡んだりすることが発生し、美観上の問題がある。また、連結部が部分的に折られたり、曲がることによって電気線に破損又は損傷が発生し、マイクが正常に動作できなくなるという問題がある。
【０００４】
このような問題を一部改善した従来技術として、大韓民国特許出願番号第１０−２００１−００５３０１９号（２００１．０８．３０．）に開示された携帯電話兼用ヘッドセットがある。しかし、従来技術においては、マイクを使用するためにマイクスタンドから引っ張る場合、マイクの位置がユーザーの口の位置から比較的遠くなり、雑音が入力されるという問題がある。
【先行技術文献】
【特許文献】
【０００５】
【特許文献１】大韓民国特許出願第１０−２００１−００５３０１９号
【発明の概要】
【発明が解決しようとする課題】
【０００６】
前記のような従来技術の問題及び必要性を解消するためになされた本発明は、マイクを耳に簡単に固定させることによってユーザーの活動性を高め、マイクが使用される場合、ユーザーの口の周囲に容易に配置させることによってマイクを容易に利用できるだけでなく、美観を改善することによって選好度を高めるイヤリングタイプのマイクを提供する。
【課題を解決するための手段】
【０００７】
前記のような目的を達成するために、本発明は、耳にかけて使用されるマイクにおいて、ユーザーの両耳に固定される固定部材と、両端が前記２個の固定部材にそれぞれ位置する弾性を有する部材で製作され、一側がユーザーの首に密着するケーブルと、前記ケーブルの両端にそれぞれ結合されるスピーカーと、前記ケーブルの一側に設置されるものであって、音声を入力するマイク部とを含んで構成され、ユーザーが前記マイク部を介して音声を入力するとき、前記マイク部に力を加えると、前記ケーブルが伸びながら前記マイク部がユーザーの首から口の周囲に移動し、前記マイク部に加えられた力が除去されると、前記ケーブルの弾性力によって前記マイク部がユーザーの口の周囲に密着することを特徴とするイヤリングタイプのマイクを提供する。
【０００８】
また、本発明は、耳にかけて使用されるマイクにおいて、ユーザーの両耳に固定される固定部材と、両端が前記２個の固定部材のそれぞれに位置するように固定される部材であって、一側がユーザーの顎の前側に密着するケーブルと、両端が前記ケーブルの一側に一定距離だけ離隔してそれぞれ結合され、前記ケーブルがユーザーの前顎に密着するとき、ユーザーの内側の顎に密着する第２弾性体と、前記ケーブルの両端にそれぞれ結合されるスピーカーと、前記ケーブルの一側に設置されるものであって、音声を入力するマイク部とを含んで構成され、ユーザーの顎が前記ケーブルと前記第２弾性体が形成する穴に挿入されており、ユーザーが顎を動かすとき、前記第２弾性体の弾力によって前記ケーブルがユーザーの前顎に密着して動かないようにすることを特徴とするイヤリングタイプのマイクを提供する。
【０００９】
また、本発明は、耳にかけて使用されるマイクにおいて、ユーザーの一側の耳に固定される固定部材と、前記固定部材に位置するように固定されるケーブルと、前記ケーブルの一端に結合されるスピーカーと、一端が前記ケーブルに連結されるように前記固定部材に結合され、他端が外力で引き出されるものであって、音声を入力するマイク部とを含んで構成され、ユーザーが前記マイク部を介して音声を入力するとき、前記マイク部に力を加えながら前記マイク部を口の周囲に移動させることを特徴とするイヤリングタイプのマイクを提供する。
【発明の効果】
【００１０】
以上のように構成される本発明は、次のような効果を有する。
【００１１】
第一、本発明は、一般的な活動時、ユーザーの身体の一部に固定されることによってユーザーの活動性を高めることができる。すなわち、本発明は、固定部材の両端を耳に挟む構造となっており、マイクを着用して各種行為をしても、従来に比べてマイクが耳から離脱する憂いがないだけでなく、単純に固定部材を広げてから離す行為だけでも耳に固定させることができ、マイクの着用及び分離が容易になるという長所を有する。
【００１２】
第二、本発明は、ユーザーがマイクを使用するとき、簡単にマイクを口の周囲に位置させ、周辺の雑音が入力されることなく、きれいな音源が入力可能であり、マイクに加えられた荷重が除去されると直ぐ元の位置に復元され、ユーザーが円滑に活動できるという長所を有する。
【図面の簡単な説明】
【００１３】
【図１】本発明に係るイヤリングタイプのマイクの一実施形態に関する図である。
【図２】図１のマイク部に作動ボタンがある状態を示す図である。
【図３】図１の第１固定部材に本体が結合された状態を示す図である。
【図４】図１の第１固定部材に第１弾性体が結合されている状態を示す図である。
【図５】本発明に係るイヤリングタイプのマイクの第２実施形態に関する図である。
【図６】本発明に係るイヤリングタイプのマイクの第３実施形態に関する図である。
【図７】図６のマイク部に作動ボタンがある状態を示す図である。
【図８】本発明に係るイヤリングタイプのマイクの第４実施形態に関する図である。
【図９】図８の第１固定部材に長孔が形成された状態を示す図である。
【図１０】本発明に係るイヤリングタイプのマイクの第５実施形態に関する図である。
【発明を実施するための形態】
【００１４】
以下、添付の各図面を参照して、本発明に係るイヤリングタイプのマイクの具体的な内容を詳細に説明する。
【００１５】
近年は、スマートフォンや携帯用音響機器にイヤホンが多く使用されており、特に、通信用端末機であるスマートフォンは、音響機能を利用しながら通信機能を選択的に利用することができる。通信機能を利用する場合、一般に、イヤホンとマイクが一体型で構成されたマイク（ＥＡＲ−ＭＩＣ）が必要である。
【００１６】
一方、マイクは、スマートフォンや携帯用音響機器と連結された形態で利用されるが、連結部が長くなる場合、保管上の問題によって連結部が長く伸びたり、捩れたり、絡んだりすることが発生し、美観上の問題がある。また、連結部が部分的に折られたり、曲がることによって電気線に破損又は損傷が発生し、マイクが正常に動作できなくなるという問題がある。
【００１７】
このような問題を一部改善した従来技術として、大韓民国特許出願番号第１０−２００１−００５３０１９号（２００１．０８．３０．）に開示された携帯電話兼用ヘッドセットがある。しかし、従来技術においては、マイクを使用するためにマイクスタンドから引っ張る場合、マイクの位置がユーザーの口の位置から比較的遠くなり、雑音が入力されるという問題がある。
【００１８】
前記のような従来技術の問題及び必要性を解消するためになされた本発明は、マイクを耳に簡単に固定させることによってユーザーの活動性を高め、マイクが使用される場合、ユーザーの口の周囲に容易に配置させることによってマイクを容易に利用できるだけでなく、美観を改善することによって選好度を高めるイヤリングタイプのマイクを提供する。
【００１９】
本発明は、一般的な活動時、ユーザーの身体の一部に固定されることによってユーザーの活動性を高めることができる。すなわち、本発明は、固定部材の両端を耳に挟む構造となっており、マイクを着用して各種行為をしても、従来に比べてマイクが耳から離脱する憂いがないだけでなく、単純に固定部材を広げてから離す行為だけでも耳に固定させることができ、マイクの着用及び分離が容易になるという長所を有する。また、本発明は、ユーザーがマイクを使用するとき、簡単にマイクを口の周囲に位置させ、周辺の雑音が入力されることなく、きれいな音源が入力可能であり、マイクに加えられた荷重が除去されると直ぐ元の位置に復元され、ユーザーが円滑に活動できるという長所を有する。
【００２０】
図１は、本発明に係るイヤリングタイプのマイクの一実施形態に関する図で、図２は、図１のマイク部に作動ボタンがある状態を示す図である。
【００２１】
図３は、図１の第１固定部材に本体が結合された状態を示す図で、図４は、図１の第１固定部材に第１弾性体が結合されている状態を示す図である。
【００２２】
図５は、本発明に係るイヤリングタイプのマイクの第２実施形態に関する図である。
【００２３】
前記のような目的を達成するための本発明は、耳にかけて使用されるマイクにおいて、ユーザーの両耳に固定される固定部材１００と、両端が前記２個の固定部材１００にそれぞれ位置する弾性を有する部材で製作され、一側がユーザーの首に密着するケーブル２００と、前記ケーブル２００の両端にそれぞれ結合されるスピーカー３００と、前記ケーブル２００の一側に設置されるものであって、音声を入力するマイク部４００とを含んで構成され、ユーザーが前記マイク部４００を介して音声を入力するとき、前記マイク部４００に力を加えると、前記ケーブル２００が伸びながら前記マイク部４００がユーザーの首から口の周囲に移動し、前記マイク部４００に加えられた力が除去されると、前記ケーブル２００の弾性力によって前記マイク部４００がユーザーの口の周囲に密着することを特徴とするイヤリングタイプのマイク１０を提供する。
【００２４】
本発明は、固定部材１００、ケーブル２００、スピーカー３００及びマイク部４００を含んで構成されるものであって、ユーザーの耳に容易に結合されることによってユーザーの活動性を高めるだけでなく、マイク部４００を容易に口の周囲に位置させ、周辺の雑音が入力されることなく、きれいな音源が入力され得るイヤリングタイプのマイク１０に関する。
【００２５】
固定部材１００は、ユーザーの両耳に固定される部材である。すなわち、固定部材１００は、マイク１０がユーザーの耳に容易に固定できるようにする部材である。
【００２６】
固定部材１００は、マイク１０がユーザーの耳に容易に固定できるものであれば多様な形状に製作可能であるが、一例として、第１固定部材１１０及び第２固定部材１２０を含んで構成され得る。
【００２７】
第１固定部材１１０は、ユーザーの耳介の後ろに密着する「Ｃ」字状の部材である。第２固定部材１２０は、「Ｃ」字状を有し、一端が前記第１固定部材１１０の一側に結合される部材である。したがって、前記第２固定部材１２０の一端がユーザーの耳の外側に当接し、他端がユーザーの耳の内側に当接することによって、全体的に前記第２固定部材１２０の両端をユーザーの耳に挟むようにし、前記固定部材１００をユーザーの耳に固定させることができる。
【００２８】
第１固定部材１１０の両側には、第１リング部材１１１がそれぞれ形成されていてもよい。第１固定部材１１０に第１リング部材１１１が形成されている場合、第１リング部材１１１に第１弾性体５００が結合されていてもよい。すなわち、第１固定部材１１０に第１リング部材１１１が形成されている場合、ケーブル２００が前記第１リング部材１１１に設置された第１弾性体５００に結合される方法で設置され、前記マイク部４００に力が加えられると、前記第１弾性体５００の弛緩によって前記ケーブル２００が伸びながら前記マイク部４００がユーザーの首から口の周囲に移動し、前記マイク部４００に加えられた力が除去されると、前記第１弾性体５００の弾性力によって前記マイク部４００をユーザーの口の周囲に密着させることができる。第１弾性体５００は、スプリング又はシリコンゴムリングであり得る。
【００２９】
第２固定部材１２０には、長さ方向に沿って１個以上の第２リング部材１２１が形成されていてもよい。第２リング部材１２１は、ケーブル２００が内部を貫通して前記第２固定部材１２０に密着して設置されるように構成される。また、ケーブル２００に結合されたスピーカー３００が、第２固定部材１２０の他端に形成された第２リング部材１２１に係止されるようにし、前記ケーブル２００の両端のそれぞれを前記第２固定部材１２０の他端にそれぞれ固定させることができる。
【００３０】
固定部材１００としては、所要の強度を満足するものであれば多様な材料が使用可能である。
【００３１】
ケーブル２００は、両端が前記２個の固定部材１００にそれぞれ固定される弾性を有する部材で製作され、一側がユーザーの首に密着する部材である。ケーブル２００は、外力が加えられると伸びる一方、外力が除去されると元の形態に復元される弾性を一側に有していてもよい。
【００３２】
ケーブル２００は、固定部材１００が第１固定部材１１０及び第２固定部材１２０を含んで構成される場合、第２固定部材１２０の長さ方向に沿って密着させ、ケーブル２００の両端のそれぞれを第２固定部材１２０の他端に位置させることができる。ケーブル２００が第２固定部材１２０の他端に位置することによって、ケーブル２００の両端においてスピーカー３００が第２固定部材１２０の他端に位置するように結合される。
【００３３】
ケーブル２００は、一側がジグザグ形状又はスプリング形状となるように内部に弾性部材が結合されており、前記マイク部４００に力が加えられると、前記スプリング形態が解けながら前記ケーブル２００が伸びる一方、前記マイク部４００に加えられた力が除去されると、弾性部材の弾性力によって前記ケーブル２００の一側が再びスプリング形状に復元され得る。
【００３４】
前記固定部材１００が中空の形態である場合、ケーブル２００は、両端のそれぞれが前記中空を貫通してスピーカー３００に連結され、他端が音を発生する装置に連結されるように前記固定部材１００の内部に設置され得る。
【００３５】
通常、ケーブル２００は、マイク１０で使用される線であって、ラジオ、ＭＰ３再生装置、携帯電話などの装置に連結され、前記装置で発生する音をスピーカー３００に伝達し、ユーザーが音を聞けるようにする部材である。
【００３６】
スピーカー３００は、ケーブル２００の両端にそれぞれ結合される部材である。スピーカー３００は、ケーブル２００を介して伝達される音をユーザーが聞けるように音を出す装置であって、通常、イヤホン又はマイク１０で使用される装置である。スピーカー３００は、前記ケーブル２００に結合され、ユーザーの使用状態によってユーザーの耳孔又は前記固定部材１００に位置し得る。すなわち、スピーカー３００は、ユーザーが安全でない場所で多様な行為をするとき、周囲の騒音と音楽を共に聞けるように固定部材１００の一端に位置させることができ、図書館などの静かな場所では周囲の騒音を遮断し、音楽のみを聞けるようにユーザーの耳孔に位置させることができる。
【００３７】
マイク部４００は、ケーブル２００の一側に設置されるものであって、音声を入力する部材である。マイク部４００は、設置時にケーブル２００に連結され、入力された音声信号をスピーカー３００に直接伝達したり、ケーブル２００に連結されたスマートフォンなどの装置に音声信号を送ることができる。
【００３８】
ユーザーが前記マイク部４００を介して音声を入力するとき、前記マイク部４００に力を加えると、前記ケーブル２００が伸びながら前記マイク部４００がユーザーの首から口の周囲に移動し、前記マイク部４００に加えられた力が除去されると、前記ケーブル２００の弾性力によって前記マイク部４００をユーザーの口の周囲に密着させることができる。
【００３９】
マイク部４００は、一側に作動を制御する作動ボタン４１０をさらに含んで構成され得るが、ユーザーが前記マイク部４００を介して音声を入力するとき、前記マイク部４００の前記作動ボタン４１０に力を加えながら前記マイク部４００を作動させると同時に、前記マイク部４００を首から口の周囲に移動させ、前記マイク部４００に加えられた力が除去されると、前記ケーブル２００の弾性力によって前記マイク部４００がユーザーの口の周囲に密着し、音声入力が可能になる。
【００４０】
このとき、前記作動ボタン４１０は、マイクのＯＮ／ＯＦＦボタン又は電話の通話／終了ボタンの機能を制御する作動ボタンとなり得る。
【００４１】
マイク部４００は、マイク胴体４２０及び入力部４３０を含んで構成され、前記入力部４３０がユーザーによって音声を入力するときに自由に動くようにし、ユーザーの便宜性を高めることができる。マイク胴体４２０は、管状を有し、前記ケーブル２００の一側に設置される部材である。入力部４３０は、一端がマイク胴体４２０の内部一側に結合され、他端が前記マイク胴体４２０の外部に突出し得るように構成されるものであって、音声を入力する構成である。すなわち、ユーザーが前記マイク部４００を首の後ろに着用した状態で前記入力部４３０を介して音声を入力するとき、前記入力部４３０に力を加えると、前記入力部４３０が一定の長さだけ突出し、前記入力部４３０がユーザーの首の後ろから口の周囲に移動して密着可能になる。
【００４２】
本発明は、音を出力する装置として、前記固定部材１００の一側に結合される本体６００をさらに含んで構成される。本体６００は、前記ケーブル２００と連結され、前記マイク部４００から入力される音を出力したり、それ自体で再生される音又は外部から来る音信号を前記スピーカー３００に送ることができる。
【００４３】
本体６００としては、音を出力しながら固定部材１００に結合できる装置であれば多様な装置が使用可能であるが、一例として、スマートフォン、オーディオ装置などが使用可能である。
【００４４】
図６は、本発明に係るイヤリングタイプのマイクの第３実施形態に関する図で、図７は、図６のマイク部に作動ボタンがある状態を示す図である。
【００４５】
前記のような目的を達成するための更に他の本発明は、耳にかけて使用されるマイクにおいて、ユーザーの両耳に固定される固定部材１００と、両端が前記２個の固定部材１００のそれぞれに位置するように固定される部材であって、一側がユーザーの顎の前側に密着するケーブル２００と、両端が前記ケーブルの一側に一定距離だけ離隔してそれぞれ結合され、前記ケーブルがユーザーの前顎に密着するとき、ユーザーの内側の顎に密着する第２弾性体５１０と、前記ケーブル２００の両端にそれぞれ結合されるスピーカー３００と、前記ケーブル２００の一側に設置されるものであって、音声を入力するマイク部４００とを含んで構成され、ユーザーの顎が前記ケーブル２００と前記第２弾性体５１０が形成する穴に挿入されており、ユーザーが顎を動かすとき、前記第２弾性体５１０の弾力によって前記ケーブル２００がユーザーの前顎に密着して動かないようにすることを特徴とするイヤリングタイプのマイク１０を提供する。
【００４６】
本発明は、固定部材１００、ケーブル２００、第２弾性体５１０、スピーカー３００及びマイク部４００を含んで構成されるものであって、ユーザーの耳に容易に結合されることによってユーザーの活動性を高めるだけでなく、マイク部４００を容易に口の周囲に位置させ、周辺の雑音が入力されることなく、きれいな音源が入力され得るイヤリングタイプのマイク１０に関する。
【００４７】
固定部材１００は、ユーザーの両耳に固定される部材である。すなわち、固定部材１００は、マイク１０がユーザーの耳に容易に固定できるようにする部材である。
【００４８】
固定部材１００は、マイク１０がユーザーの耳に容易に固定できるものであれば多様な形状に製作可能であり、一例として、第１固定部材及び第２固定部材を含んで構成され得る。
【００４９】
第１固定部材１１０は、ユーザーの耳介の後ろに密着する「Ｃ」字状の部材である。第２固定部材１２０は、「Ｃ」字状を有し、一端が前記第１固定部材１１０の一側に結合される部材である。したがって、前記第２固定部材１２０の一端がユーザーの耳の外側に当接し、他端がユーザーの耳の内側に当接することによって、全体的に前記第２固定部材１２０の両端をユーザーの耳に挟むようにし、前記固定部材１００をユーザーの耳に固定させることができる。
【００５０】
第２固定部材１２０には、長さ方向に沿って１個以上の第２リング部材１２１が形成されていてもよい。第２リング部材１２１は、ケーブル２００が内部を貫通して前記第２固定部材１２０に密着して設置されるように構成される。また、ケーブル２００に結合されたスピーカー３００が、第２固定部材１２０の他端に形成された第２リング部材１２１に係止されるようにし、前記ケーブル２００の両端のそれぞれを前記第２固定部材１２０の他端にそれぞれ固定させることができる。
【００５１】
固定部材１００としては、所要の強度を満足するものであれば多様な材料が使用可能である。
【００５２】
ケーブル２００は、両端が前記２個の固定部材１００のそれぞれに位置するように固定される部材であって、一側がユーザーの顎の前側に密着する部材である。
【００５３】
ケーブル２００は、固定部材１００が第１固定部材１１０及び第２固定部材１２０を含んで構成される場合、第２固定部材１２０の長さ方向に沿って密着させ、ケーブル２００の両端のそれぞれを第２固定部材１２０の他端に位置させることができる。ケーブル２００が第２固定部材１２０の他端に位置することによって、ケーブル２００の両端においてスピーカー３００が第２固定部材１２０の他端に位置するように結合される。
【００５４】
前記固定部材１００が中空の形態である場合、ケーブル２００は、両端のそれぞれが前記中空を貫通してスピーカー３００に連結され、他端が音を発生する装置に連結されるように前記固定部材１００の内部に設置され得る。
【００５５】
通常、ケーブル２００は、マイク１０で使用される線であって、ラジオ、ＭＰ３再生装置、携帯電話などの装置に連結され、前記装置で発生する音をスピーカー３００に伝達し、ユーザーが音を聞けるようにする部材である。
【００５６】
第２弾性体５１０は、両端が前記ケーブルの一側に一定距離だけ離隔してそれぞれ結合され、前記ケーブル２００がユーザーの前顎に密着するとき、ユーザーの内側の顎に密着する部材である。第２弾性体５１０は、ユーザーの顎が前記ケーブル２００との間に形成する穴に挿入され、ケーブル２００がユーザーの顎に密着できるようにする部材であって、ユーザーが顎を動かすとき、前記第２弾性体５１０の弾力によって前記第２弾性体５１０のみが動き、前記ケーブル２００がユーザーの前顎に密着して動かないように構成される。
【００５７】
第２弾性体５１０としては、ユーザーの顎が動く場合にもケーブル２００がユーザーの前顎に密着できるものであれば多様な弾性材料が使用可能であるが、一例として、スプリング又はシリコンゴムが使用可能である。
【００５８】
スピーカー３００は、ケーブル２００の両端にそれぞれ結合される部材である。スピーカー３００は、ケーブル２００を介して伝達される音をユーザーが聞けるように音を出す装置であって、通常、イヤホン又はマイク１０で使用される装置である。スピーカー３００は、前記ケーブル２００に結合され、ユーザーの使用状態によってユーザーの耳孔又は前記固定部材１００に位置し得る。すなわち、スピーカー３００は、ユーザーが安全でない場所で多様な行為をするとき、周囲の騒音と音楽を共に聞けるように固定部材１００の一端に位置させることができ、図書館などの静かな場所では周囲の騒音を遮断し、音楽のみを聞けるようにユーザーの耳孔に位置させることができる。
【００５９】
マイク部４００は、ケーブル２００の一側に設置されるものであって、音声を入力する構成である。マイク部４００は、ユーザーの顎に密着したケーブルに設置されており、ユーザーの音声を雑音無しできれいに入力することができる。マイク部４００は、設置時にケーブル２００に連結され、入力された音声信号をスピーカー３００に直接伝達したり、ケーブル２００に連結されたスマートフォンなどの装置に音声信号を送ることができる。
【００６０】
マイク部４００は、一側に作動を制御する作動ボタン４１０をさらに含んで構成され得るが、ユーザーがマイク部４００を介して音声を入力するとき、前記マイク部４００の前記作動ボタン４１０に力を加えながら前記マイク部４００を作動させることができ、前記マイク部４００の作動ボタン４１０に加えられた力が除去されると前記マイク部４００の作動が中止され得る。
【００６１】
このとき、前記作動ボタン４１０は、マイクのＯＮ／ＯＦＦボタン又は電話の通話／終了ボタンの機能を制御する作動ボタンになり得る。
【００６２】
本発明は、音を出力する装置として、前記固定部材１００の一側に結合される本体６００をさらに含んで構成される。本体６００は、前記ケーブル２００と連結され、前記マイク部４００から入力される音を出力したり、それ自体で再生される音又は外部から来る音信号を前記スピーカー３００に送ることができる。
【００６３】
本体６００としては、音を出力しながら固定部材１００に結合できる装置であれば多様な装置が使用可能であるが、一例として、スマートフォン、オーディオ装置などが使用可能である。
【００６４】
図８は、本発明に係るイヤリングタイプのマイクの第４実施形態に関する図で、図９は、図８の第１固定部材に長孔が形成された状態を示す図である。
【００６５】
図１０は、本発明に係るイヤリングタイプのマイクの第５実施形態に関する図である。
【００６６】
前記のような目的を達成するための更に他の本発明は、耳にかけて使用されるマイクにおいて、ユーザーの一側の耳に固定される固定部材１００と、前記固定部材１００に位置するように固定されるケーブル２００と、前記ケーブル２００の一端に結合されるスピーカー３００と、一端が前記ケーブル２００に連結されるように前記固定部材１００に結合され、他端が外力で引き出されるものであって、音声を入力するマイク部４００とを含んで構成され、ユーザーが前記マイク部４００を介して音声を入力するとき、前記マイク部４００に力を加えながら前記マイク部４００を口の周囲に移動させることを特徴とするイヤリングタイプのマイク１０を提供する。
【００６７】
本発明は、固定部材１００、ケーブル２００、スピーカー３００及びマイク部４００を含んで構成されるものであって、ユーザーの耳に容易に結合されることによってユーザーの活動性を高めるだけでなく、マイク部４００を容易に口の周囲に位置させ、周辺の雑音が入力されることなく、きれいな音源が入力され得るイヤリングタイプのマイク１０に関する。
【００６８】
固定部材１００は、ユーザーの一側の耳に固定される部材である。すなわち、固定部材１００は、マイク１０がユーザーの耳に容易に固定できるようにする部材である。
【００６９】
固定部材１００は、マイク１０がユーザーの耳に容易に固定できるものであれば多様な形状に製作可能であるが、一例として、第１固定部材１１０及び第２固定部材１２０を含んで構成され得る。
【００７０】
第１固定部材１１０は、ユーザーの耳介の後ろに密着する「Ｃ」字状の部材である。第２固定部材１２０は、「Ｃ」字状を有し、一端が前記第１固定部材１１０の一側に結合される部材である。したがって、前記第２固定部材１２０の一端がユーザーの耳の外側に当接し、他端がユーザーの耳の内側に当接することによって、全体的に前記第２固定部材１２０の両端をユーザーの耳に挟むようにし、前記固定部材１００をユーザーの耳に固定させることができる。
【００７１】
第１固定部材１１０には、長孔１１２が長さ方向に沿って長く穿孔されていてもよい。長孔１１２は、マイク部４００がユーザーの使用形態によって動けるように穿孔されている穴であって、詳細には、ユーザーが音声を入力するとき、マイク部４００に力を加えながらマイク部４００の一端が第１固定部材１１０の長孔１１２に沿って動けるようにする。
【００７２】
固定部材１００としては、所要の強度を満足するものであれば多様な材料が使用可能である。
【００７３】
ケーブル２００は、固定部材１００に位置するように固定される部材である。
【００７４】
ケーブル２００は、固定部材１００が第１固定部材１１０及び第２固定部材１２０を含んで構成される場合、第２固定部材１２０の長さ方向に沿って密着させることができる。ケーブル２００が第２固定部材１２０の他端に位置することによって、ケーブル２００にスピーカー３００が第２固定部材１２０の他端に位置するように結合される。
【００７５】
前記固定部材１００が中空の形態である場合、ケーブル２００は、前記中空を貫通してスピーカー３００に連結され、他端が音を発生する装置に連結されるように前記固定部材１００の内部に設置され得る。
【００７６】
通常、ケーブル２００は、マイク１０で使用される線であって、ラジオ、ＭＰ３再生装置、携帯電話などの装置に連結され、前記装置で発生する音をスピーカー３００に伝達し、ユーザーが音を聞けるようにする部材である。
【００７７】
スピーカー３００は、ケーブル２００の一端に結合される部材である。スピーカー３００は、ケーブル２００を介して伝達される音をユーザーが聞けるように音を出す装置であって、通常、イヤホン又はマイク１０で使用される装置である。スピーカー３００は、前記ケーブル２００に結合され、ユーザーの使用状態によってユーザーの耳孔又は前記固定部材１００に位置し得る。すなわち、スピーカー３００は、ユーザーが安全でない場所で多様な行為をするとき、周囲の騒音と音楽を共に聞けるように固定部材１００の一端に位置させることができ、図書館などの静かな場所では周囲の騒音を遮断し、音楽のみを聞けるようにユーザーの耳孔に位置させることができる。
【００７８】
マイク部４００は、一端が前記ケーブル２００に連結されるように前記固定部材１００に結合され、他端が外力で引き出されるものであって、音声を入力する構成である。マイク部４００は、設置時にケーブル２００に連結され、入力された音声信号をスピーカー３００に直接伝達したり、ケーブル２００に連結されたスマートフォンなどの装置に音声信号を送ることができる。
【００７９】
マイク部４００は、外力で他端が引き出される形態であれば多様な形態で固定部材１００に結合可能であるが、一例として、第１固定部材１１０に長孔１１２が形成されている場合、マイク部４００の一端が前記第１固定部材１１０の前記長孔１１２に沿って動くように結合されていてもよい。
【００８０】
また、マイク部４００は、マイク部４００を覆うように一端が固定部材１００に結合され、他端がマイク部４００の他端に結合される第３弾性体５２０をさらに含んで構成され得る。マイク部４００に第３弾性体５２０が形成されている場合、ユーザーが前記マイク部４００を介して音声を入力するとき、前記マイク部４００に力を加えながら前記マイク部４００を口の周囲に移動させ、前記マイク部４００に加えられた力が除去されると、前記第３弾性体５２０の弾性によって前記マイク部４００が元の状態に復元され得る。
【００８１】
本発明は、一端が前記第１固定部材１１０の一側に回転するように結合される連結部材４４０と、一端が前記連結部材４４０に結合されるものであって、音声を入力するマイク部４００とをさらに含んで構成され得るが、ユーザーが前記マイク部４００を介して音声を入力するとき、前記マイク部４００に力を加えると、所望の位置に前記マイク部４００が移動するように前記連結部材４４０が回転し得る。すなわち、連結部材４４０の回転によってマイク部４００を口の周囲に移動させることができる。
【００８２】
本発明は、音を出力する装置として、前記固定部材１００の一側に結合される本体６００をさらに含んで構成され、本体６００は、前記ケーブル２００と連結され、前記マイク部４００から入力される音を出力したり、それ自体で再生される音又は外部から来る音信号を前記スピーカー３００に送ることができる。
【００８３】
本体６００としては、音を出力しながら固定部材１００に結合できる装置であれば多様な装置が使用可能であるが、一例として、スマートフォン、オーディオ装置などが使用可能である。
【００８４】
以上では、本発明に係るイヤリングタイプのマイクの好ましい実施形態を説明したが、これは、少なくとも一つの実施形態として説明されるものであって、これによって本発明の技術的思想とその構成及び作用が制限されることはなく、本発明の技術的思想の範囲が図面又は図面を参照した説明によって限定／制限されることはない。また、本発明で提示した発明の概念と実施形態は、本発明の同一の目的を達成するために他の構造に修正又は設計するための基礎であって、本発明の属する技術分野で通常の知識を有する者によって使用可能であるが、本発明の属する技術分野で通常の知識を有する者による修正又は変更された等価構造は、特許請求の範囲で記述する本発明の技術的範囲に拘束されるものであって、特許請求の範囲で記述した発明の思想や範囲を逸脱しない限度内で多様な変化、置換及び変更が可能である。
【符号の説明】
【００８５】
１０      マイク
１００    固定部材
１１０    第１固定部材    
１１１    第１リング部材
１２０    第２固定部材    
１２１    第２リング部材
２００    ケーブル
３００    スピーカー
４００    マイク部
４１０    作動ボタン    
４２０    マイク胴体
４３０    入力部    
４４０    連結部材
５００    第１弾性体    
５１０    第２弾性体
５２０    第３弾性体
６００    本体
【図１】
2018538767.tif 000003
【図２】
2018538767.tif 000004
【図３】
2018538767.tif 000005
【図４】
2018538767.tif 000006
【図５】
2018538767.tif 000007
【図６】
2018538767.tif 000008
【図７】
2018538767.tif 000009
【図８】
2018538767.tif 000010
【図９】
2018538767.tif 000011
【図１０】
2018538767.tif 000012
【国際調査報告】
2018538767.tif 000013
2018538767.tif 000014
2018538767.tif 000015
2018538767.tif 000016